(57)【要約】　　　（修正有）【課題】投票券の買い目の決定を各種データと定石等を参考に理論的科学的に検討し、冷静な判断ができるようにする事で、的中率の向上を計る為のチェックシートを提供する。【解決手段】レースに出場する選手の実績や技量、得意とする競争スタイル、及びスポーツ紙や予想紙の参考データ及び現場における当日の情報等を一定の方式で記入できるように配置した紙面と、自分が推理した投票券の買い目を記入できるようにした紙面とで配置構成したチェックシートを作成し、投票券の買い目検討の参考と成し、投票券の的中率の向上に役立てるようにした。【選択図】　図１
0003098626.tif 000002
【実用新案登録請求の範囲】
【請求項１】
公営レースの投票券購入の買い目（投票券の組み合わせ数字）の検討をする時に使用するもので、スポーツ紙や予想紙、出走表等の各種情報を基に、レースに出場する選手の実績や技量、競争スタイル等の各種データ、及び現場での当日の情報等を一定の方式に従い記入する欄と前記を参考に自分が推理した投票券の買い目を投票種類別に記入する欄とで配置構成した紙面の「公営レース投票券買い目検討用チェックシート」
【請求項２】
請求項１で述べたチェックシートを数枚〜数十枚綴りの冊子に作成した「公営レース投票券買い目検討用チェックシート」
【考案の詳細な説明】
【０００１】
【考案の属する技術分野】
（イ）本考案は公営　レースの愛好家が投票券購入時に使用するもので、買い目検討討用に考案されたものである。
（ロ）本考案は公営レース投票券買い目検討用チェックシートには出場する選手の実績や個々の技量、得意とする競争スタイル等の、各種データ及びスポーツ紙や予想紙等の各種情報、現場における当日の情報等が一定の方式に従って記入できる様になっている。
（ハ）前記の各種データや情報等を参考に、自分の推理を買い目記入欄に記入できる様になっている「公営レース投票券買い目検討用チェックシート」（以後チェックシートと呼称）に関する。
【０００２】
【従来の技術】
例えば従来公営レースの愛好家は投票券の購入時において、スポーツ紙や予想紙を参考に又はレース場発行の出走表等を基に、現場にて前記各紙面に赤えんぴつやマジックペン等の筆記具にて、自分の購入する投票券の買い目を記入したり経験と勘を基に頭に浮かんだ買い目を直接投票用紙に記入して購入する者が大部分である。このような投票券の買い目決定方法では非理論的、非科学的であり、購入投票券の的中確率も低いと考えられる。
【０００３】
【考案が解決しようとする課題】て経験と勘に頼るのみでなく、より理論的、科学的に検討する為には多くのデータと情報を取り入れ参考にする事が重要になる。この目的を達成し、購入投票券の的中率の向上を図る為に下記の事項が改善できるチェックシートを考案した。
（イ）自分の推理に基づいた投票券の買い目を頭の中だけでなく本考案のチェックシートに記入する事により客観的に冷静に買い目の検討ができるので、より理論的、科学的に自分の判断ができるようになり投票券の的中率にも期待が持てる。
（ロ）本考案のチェックシートに投票券の買い目を記入する事により組合せの思い違いや買い忘れの防止ができるので結果を後悔する事が少なくなる。
（ハ）記入して目で見る事により、冷静に検討することができるので的中可能性の極めて薄い投票券の取捨選択が容易になり、不必要な買い目の購入を減らす事ができ投資金額の効率の向上にも役立つ。
（ニ）レースに出場する各選手の総合力を客観的に判断する事で、投票券的中の確率を高くすることができる。
【０００４】
【課題を解決する為の手段】
前項の目的を達成する為に「公営レース投票券買い目検討用チェックシート」を考案した。
（イ）チェックシートにはレースに出場する選手の実績や技量、競争スタイル等の投票券の買い目決定に必要なデータ、及びスポーツ紙、予想紙等の情報や現場における当日の各種情報等が記入できるようになっている。
（ロ）チェックシートには前記を参考にして自分の推理で決定した買い目をその都度記入できるようになっている。
（ハ）チェックシートに記入する事により投票券の必要な買い目の買い忘れや思い違いによる間違い購入、不必要な投票券の無駄づかい等のチェックが容易になる。
【０００５】
【考案の実施の形態】
（イ）本考案のチェックシートの紙面には競艇用にはレースに出場する選手の年齢、実績、格付、技量等の総合力の各種データ及び現場における当日の情報、スポーツ紙・予想紙等の人気、進入コースの予想等を記入できるようになっている。
（ロ）競輪用には、年齢、技量、競争スタイル等を含む選手個々の総合力の各種データ、スポーツ紙・予想紙等の人気、周回中の並び（位置取り）等を記入できるようになっている。
（ハ）自分の推理した投票券の買い目を各投票種類別に記入できるようになっている。
（二）チェックシート数十枚を一冊にし、一冊の枚数を違えて数種類を作成する
【０００６】
【実施例】
以下に図を参照しながら、本考案の「公営レース投票券買い目検討用チェックシート」について説明する
（イ）基本的には１個レースに１枚使用する事で用を足すが、１個レースに複数枚使用してもよい。１冊を３６枚綴り、４８枚綴り、６０枚綴り程度に数種類作成するとよい。めくり部分にミシン目を入れておけば、使用済みシートはその都度１枚ごとに切り離し廃棄できる、又そのまま保存してもよい。
（ロ）めくり部分にリングを使用しチェックシート１枚ごとに３６０度めくれるようにし、折り返して使用できるようにし、現場で使い易い作りにする。
（ハ）チェックシートの紙面は大きく分けて２つに区分し配置。一方には選手の各種データや情報、スポーツ紙・予想紙等の情報を記入できるようにした他方には自分で推理した投票券の買い目を投票種類別に記入できるようになっている。
（ニ）横並びに記入する横に長い形式の横型と、縦並びに記入する縦に長い形式の縦型との２種類作成するとよい。
（ホ）参考データや情報の検討面と買い目の記入欄とを別冊にして各々を単独で使用できる様な作りにするのもよい。競輪ではレース展開を参考にシート面の配置の中で、周回中の並びの欄を３列形式と２列形式、１列形式の３種類作成するとよい。
（ヘ）競輪ではホームストレッチ、打鐘、最終回、最終直線、ゴールまでのレース展開を図上に表し推理の参考にする為にバンク型の図を配置したシートを作成し、その図に勝負どころでの各選手の位置関係を記入できるようにするとよい。
（ト）着色を施した紙面構成にするとよい。
【０００７】
【考案の効果】
本考案のチェックシートを使用する事により次の効果を得ることができる。
（イ）投票券の決定が、より理論的、科学的に出来るので的中率の向上に期待が持てる。
（ロ）思い違いや買い忘れ等による不利益が減少する。
（ハ）投票券の取捨選択等、冷静な判断が可能になり投資金額の効率が計れる。（二）高齢の愛好家には推理し、記入する事で頭の体操にもなり、老化防止に効果がある。
【図面の簡単な説明】
【図１】本考案の競艇に使用するチェックシートで検討面と買い目（投票券の組合せ数字）記入欄を横並びに配置した横長形式の紙面構成図
【図２】競艇に使用するチェックシートで、検討面と買い目記入欄を縦並びに配置した縦長形式の紙面構成図
【図３】競艇に使用するチェックシートでデータや情報を事前に記入出来るようにしたもので、当日現場でのチェックシートへの転記のスピードアップが計れるようにした紙面構成図
【図４】本考案の「公営レース投票券買い目検討用チェックシート」の、競輪に使用するチェックシートで検討面と買い目（投票券の組合せ数字）記入欄を縦並びに配置した縦長形式のシート面の構成図で、周回中の選手の並び（位置取り）の記入欄が３列の紙面構成図
【図５】競輪で使用するチェックシートで検討面と買い目（投票券の組合せ数字）記入欄を縦並びに配置した縦長形式のシート面の構成図で、周回中の選手の並び（位置取り）の記入欄が２列の紙面構成図
【図６】競輪で使用するチェックシートで、検討面と買い目（投票券の組合せ数字）記入欄を横並びに配置した横長形式のシート面の構成図で、周回中の選手の並び（位置取り）の記入欄が３列の紙面構成図
【図７】競輪で使用するチェックシートで、検討面と買い目（投票券の組合せ数字）記入欄を横並びに配置した横長形式のシート面の構成図で、周回中の選手の並び（位置取り）の記入欄が２列の紙面構成図
【図８】競輪で使用するチェックシートで、検討面と買い目（投票券の組合せ数字）記入欄を横並びに配置した横長形式のシート面の構成図で、周回中の選手の並び（位置取り）の記入欄が１列の紙面構成図
【図９】本考案の競輪に使用するチェックシートで残り２周のホームストレッチからゴールまでのレース展開を記入し検討する為に使用するものでレース場のバンクに擬した図を配置した構成図
【符号の説明】
競艇用のチェックシートに関する
・展示　　展示タイムや展示状況の記入欄
・ＳＴ　　平均スタートタイミングやスタートの技量の記入欄
・ボ　　　ボックス
・ワ　　　拡連複（ワイド）
・人気　　スポーツ紙や予想紙の人気順位を記入する欄
・Ｒ　　　レース
競輪用のチェックシートに関する
・有利　　レース展開で番手等有利になる選手をチェックする欄
・周回（並び）　周回中の選手の位置を記入するもの
・ボ　　　ボックス
・ワ　　　拡連複（ワイド）
・人気　　スポーツ紙や予想紙の人気順位を記入する欄
・Ｒ　　　レース
・Ｈ　　　ホームストレッチ
・Ｂ　　　バックストレッチ
【図１】
0003098626.tif 000003
【図２】
0003098626.tif 000004
【図３】
0003098626.tif 000005
【図４】
0003098626.tif 000006
【図５】
0003098626.tif 000007
【図６】
0003098626.tif 000008
【図７】
0003098626.tif 000009
【図８】
0003098626.tif 000010
【図９】
0003098626.tif 000011